(57)【要約】【課題】パソコン等の設定ツールが不要であり、第１の通信装置にテンキーを設けなくても、第２の通信装置の電話番号を第１の通信装置に簡単な操作で安全に登録することができる。【解決手段】通信装置１が、携帯端末２からの接続要求を受信する受信ステップと、通信装置１が、携帯端末２からの接続要求を受信してから設定可能時間が経過するまでに、ユーザにより電話番号を登録するための登録ボタン１１が押されたか否かを判定する判定ステップと、判定ステップによる判定が肯定された場合、通信装置１が、携帯端末２の電話番号の登録を許可する許可ステップとを備えている。【選択図】図１
2010154231.tif 000002
【特許請求の範囲】
【請求項１】
電話機能を有する第１の通信装置に、所定の通信ネットワークを介して接続された電話機能を有する第２の通信装置の電話番号を登録する電話番号登録方法であって、
前記第１の通信装置は、インターホンシステムにより取得された映像信号及び音声信号を前記第２の通信装置に転送する機能を備え、
前記第１の通信装置が、ユーザから電話番号を登録するための登録ボタンの入力操作を受け付ける受付ステップと、
前記第１の通信装置が、前記登録ボタンの入力操作を受け付けてから所定の設定可能時間が経過するまでに、前記第２の通信装置からの接続要求を受信したか否かを判定する判定ステップと、
前記判定ステップによる判定が肯定された場合、前記第１の通信装置が、前記第２の通信装置の電話番号の登録を許可する許可ステップとを備えることを特徴とする電話番号登録方法。
【請求項２】
電話機能を有する第１の通信装置に、所定の通信ネットワークを介して接続された電話機能を有する第２の通信装置の電話番号を登録する電話番号登録方法であって、
前記第１の通信装置は、インターホンシステムにより取得された映像信号及び音声信号を前記第２の通信装置に転送する機能を備え、
前記第１の通信装置が、前記第２の通信装置からの接続要求を受信する受信ステップと、
前記第１の通信装置が、前記第２の通信装置からの接続要求を受信してから所定の設定可能時間が経過するまでに、ユーザにより電話番号を登録するための登録ボタンが押されたか否かを判定する判定ステップと、
前記判定ステップによる判定が肯定された場合、前記第１の通信装置が、前記第２の通信装置の電話番号の登録を許可する許可ステップとを備えることを特徴とする電話番号登録方法。
【請求項３】
電話機能を有する第１の通信装置に、所定の通信ネットワークを介して接続された電話機能を有する第２の通信装置の電話番号を登録する電話番号登録方法であって、
前記第１の通信装置は、インターホンシステムにより取得された映像信号及び音声信号を前記第２の通信装置に転送する機能を備え、
前記第１の通信装置が、前記第２の通信装置からの接続要求を受信する受信ステップと、
前記第１の通信装置が、前記第２の通信装置からの接続要求を受信してから、ユーザによりオフフックボタンが押されたか否かを判定するオフフック判定ステップと、
前記オフフックボタンが押されてから所定の設定可能時間が経過するまでに、ユーザにより電話番号を登録するための登録ボタンが押されたか否かを判定する判定ステップと、
前記判定ステップによる判定が肯定された場合、前記第１の通信装置が、前記第２の通信装置の電話番号の登録を許可する許可ステップとを備えることを特徴とする電話番号登録方法。
【請求項４】
前記第１の通信装置が、前記第２の通信装置から送信されるプッシュボタン音をＤＴＭＦ検出することで、前記第２の通信装置の電話番号を登録する登録ステップを更に備えることを特徴とする請求項１〜３のいずれかに記載の電話番号登録方法。
【請求項５】
前記第１の通信装置が、前記第２の通信装置から送信される自身の電話番号を通知するためのナンバー通知を用いて、前記第２の通信装置の電話番号を登録する登録ステップを更に備えることを特徴とする請求項１〜３のいずれかに記載の電話番号登録方法。
【請求項６】
前記許可ステップは、前記判定ステップによる判定が肯定された場合、更に前記第２の通信装置がテレビ電話で接続要求を行っているか否かを判定し、テレビ電話で接続要求を行っていると判定した場合、前記第２の通信装置の電話番号の登録を許可することを特徴とする請求項１〜５のいずれかに記載の電話番号登録方法。
【請求項７】
前記許可ステップは、前記第２の通信装置がテレビ電話で接続要求を行っていないと判定した場合、前記第２の通信装置からの接続要求を拒否することなく、前記第２の通信装置の電話番号の登録を許可しないことを特徴とする請求項６記載の電話番号登録方法。
【請求項８】
前記許可ステップは、前記第２の通信装置がテレビ電話で接続要求を行っていないと判定した場合、前記第２の通信装置の接続要求を拒否することを特徴とする請求項６記載の電話番号登録方法。
【請求項９】
前記許可ステップにより、前記第２の通信装置の電話番号の登録が許可された場合、前記第１の通信装置が、電話番号の登録操作を案内するための画像データを前記第２の通信装置に表示させる案内ステップを更に備えることを特徴とする請求項１〜８のいずれかに記載の電話番号登録方法。
【発明の詳細な説明】
【技術分野】
【０００１】
本発明は、インターホンシステムに関するものであり、特に、第１の通信装置に、所定の通信ネットワークを介して接続された第２の通信装置の電話番号を登録させる電話番号登録方法に関するものである。
【背景技術】
【０００２】
近年、訪問者の映像信号を撮影することができるドアホンと、ドアホンで撮影された訪問者の映像信号をディスプレイに表示するインターホンと、このインターホンに表示される映像信号を携帯端末に転送する機能を備える通信装置と、この通信装置に通信可能に接続される携帯端末とを備える通信システムが知られている。
【０００３】
このような通信システムでは、訪問者によりドアホンの呼出ボタンが押されると、訪問者の映像信号を携帯端末のディスプレイに表示させることが可能となり、ユーザは、外出先からでもリアルタイムに来客対応が可能となる。
【０００４】
具体的には、通信装置には予め携帯端末の電話番号が登録されている。そして、通信装置は、ドアホンの呼出ボタンが押されると、予め登録された電話番号に従ってこの携帯端末を呼び出し、ドアホンにより撮影された訪問者の映像信号をこの携帯端末に送信する。
【０００５】
すなわち、このようなインターホンシステムを実現するためには、通信装置に予め携帯端末の電話番号を登録しておく必要がある。
【０００６】
従来、この電話番号の登録は、以下のようにして行われていた。インターネット上に、例えばこのインターホンシステムを提供する業者等により運営され、通信装置に対して各種設定を行うためのＷＥＢサイトを開設する。そして、ユーザは自己のパソコンを用いてこのＷＥＢサイトにアクセスし、自己の通信装置に自己の携帯端末の電話番号を登録するための各種情報を入力する。すると、ＷＥＢサイトは、この情報に従って、該当する通信装置に入力された電話番号を登録するように命令する。これにより通信装置は携帯端末の電話番号を登録する。
【０００７】
また、特許文献１には、外部装置から本装置を遠隔操作するための操作ガイダンス情報を、本装置から外部装置に符号化して送信する技術が開示されている。
【特許文献１】特開平６−３１８９８４号公報
【発明の開示】
【発明が解決しようとする課題】
【０００８】
しかしながら、従来の登録方法では、パソコンを所持していないユーザは登録作業を行うことができず、また、パソコンが苦手な高齢者等のユーザにとっては登録作業が非常に煩わしくなるという問題があった。また、通信装置に電話番号を登録するためのテンキーを設けることも考えられるが、このようなテンキーを設けることはこの種の通信装置のイメージに合わず、また、通信装置のコストアップも招来するため好ましくない。また、特許文献１の技術では、本装置に外部装置の電話番号を登録させることについての開示及び示唆がない。
【０００９】
本発明の目的は、パソコン等の設定ツールが不要であり、第１の通信装置にテンキーを設けなくても、第２の通信装置の電話番号を第１の通信装置に簡単な操作で安全に登録することができる電話番号登録方法を提供することである。
【課題を解決するための手段】
【００１０】
（１）本発明の一局面による電話番号設定方法は、電話機能を有する第１の通信装置に、所定の通信ネットワークを介して接続された電話機能を有する第２の通信装置の電話番号を登録する電話番号登録方法であって、前記第１の通信装置は、インターホンシステムにより取得された映像信号及び音声信号を前記第２の通信装置に転送する機能を備え、前記第１の通信装置が、ユーザから電話番号を登録するための登録ボタンの入力操作を受け付ける受付ステップと、前記第１の通信装置が、前記登録ボタンの入力操作を受け付けてから所定の設定可能時間が経過するまでに、前記第２の通信装置からの接続要求を受信したか否かを判定する判定ステップと、前記判定ステップによる判定が肯定された場合、前記第１の通信装置が、前記第２の通信装置の電話番号の登録を許可する許可ステップとを備えることを特徴とする。
【００１１】
この構成によれば、ユーザは、第１の通信装置に設けられた登録ボタンを押してから設定可能時間が経過するまでに、第２の通信装置から第１の通信装置に電話をかけると、第２の通信装置の電話番号の登録が許可される。そのため、第１の通信装置に登録ボタンのみ設けることで、ユーザはパソコンを用いなくても容易に第１の通信装置に第２の通信装置の電話番号を登録することができる。また、登録ボタンを押さない限り、電話番号の登録が行うことができないため、セキュリティを高めることができる。
【００１２】
（２）本発明の別の一局面による電話番号設定方法は、電話機能を有する第１の通信装置に、所定の通信ネットワークを介して接続された電話機能を有する第２の通信装置の電話番号を登録する電話番号登録方法であって、前記第１の通信装置は、インターホンシステムにより取得された映像信号及び音声信号を前記第２の通信装置に転送する機能を備え、前記第１の通信装置が、前記第２の通信装置からの接続要求を受信する受信ステップと、前記第１の通信装置が、前記第２の通信装置からの接続要求を受信してから所定の設定可能時間が経過するまでに、ユーザにより電話番号を登録するための登録ボタンが押されたか否かを判定する判定ステップと、前記判定ステップによる判定が肯定された場合、前記第１の通信装置が、前記第２の通信装置の電話番号の登録を許可する許可ステップとを備えることを特徴とする。
【００１３】
この構成によれば、ユーザは、第２の通信装置から第１の通信装置に電話をかけた後、設定可能時間が経過するまでに、第１の通信装置に設けられた登録ボタンを押すと、第２の通信装置の電話番号の登録が許可される。
【００１４】
したがって、登録ボタンを押した後、たまたま、第２の通信装置以外の電話機から電話がかかってきた場合にこの電話機の電話番号が誤登録されることを防止することができる。更に、第１の通信装置に登録ボタンのみ設けることで、ユーザはパソコンを用いなくても容易に第１の通信装置に第２の通信装置の電話番号を登録することができる。また、登録ボタンを押さない限り、電話番号の登録が行うことができないため、セキュリティを高めることができる。
【００１５】
（３）本発明の更に別の一局面による電話番号設定方法は、電話機能を有する第１の通信装置に、所定の通信ネットワークを介して接続された電話機能を有する第２の通信装置の電話番号を登録する電話番号登録方法であって、前記第１の通信装置は、インターホンシステムにより取得された映像信号及び音声信号を前記第２の通信装置に転送する機能を備え、前記第１の通信装置が、前記第２の通信装置からの接続要求を受信する受信ステップと、前記第１の通信装置が、前記第２の通信装置からの接続要求を受信してから、ユーザによりオフフックボタンが押されたか否かを判定するオフフック判定ステップと、前記オフフックボタンが押されてから所定の設定可能時間が経過するまでに、ユーザにより電話番号を登録するための登録ボタンが押されたか否かを判定する判定ステップと、前記判定ステップによる判定が肯定された場合、前記第１の通信装置が、前記第２の通信装置の電話番号の登録を許可する許可ステップとを備えることを特徴とする。
【００１６】
この構成によれば、ユーザは、第２の通信装置から第１の通信装置に電話をかけた後、設定可能時間が経過するまでに第１の通信装置に設けられたオフフックボタンを押し、更に、オフフックボタンを押してから、第１の通信装置に設けられた登録ボタンを押すと、第２の通信装置の電話番号の登録が許可される。そのため、ユーザは、オフフックボタンを押すか否かにより、電話の着信を許可するか否かを選択することが可能となり、第２の通信装置以外の電話機からの着信を拒否することが可能となり、セキュリティをより向上させることができる。
【００１７】
（４）前記第１の通信装置が、前記第２の通信装置から送信されるプッシュボタン音をＤＴＭＦ検出することで、前記第２の通信装置の電話番号を登録する登録ステップを更に備えることが好ましい。
【００１８】
この構成によれば、ユーザは、第２の通信装置のテンキーを押すことで、第２の通信装置の電話番号を第１の通信装置に登録することができ、第１の通信装置にテンキーを設ける必要をなくすことができる。
【００１９】
（５）前記第１の通信装置が、前記第２の通信装置から送信される自身の電話番号を通知するためのナンバー通知を用いて、前記第２の通信装置の電話番号を登録する登録ステップを更に備えることが好ましい。
【００２０】
この構成によれば、第２の通信装置から送信されるナンバー通知を用いて第２の通信装置の電話番号を登録することができるため、ユーザは第２の通信装置の電話番号を入力する手間が省かれることになる。
【００２１】
（６）前記許可ステップは、前記判定ステップによる判定が肯定された場合、更に前記第２の通信装置がテレビ電話で接続要求を行っているか否かを判定し、テレビ電話で接続要求を行っていると判定した場合、前記第２の通信装置の電話番号の登録を許可することが好ましい。
【００２２】
この構成によれば、テレビ電話で接続要求を行っていない第２の通信装置の電話番号の登録が許可されないため、テレビ電話機能を有さない第２の通信装置の電話番号が登録されることを防止することができる。すなわち、第２の通信装置は、インターホンシステムにより取得された映像信号及び音声信号をモニタするための装置であるため、テレビ電話機能を備えていることが前提となる。したがって、本構成により、テレビ電話機能を備えていない第２の通信装置の電話番等が登録されることを防止することが可能となり、このような通信装置にインターホンシステムにより取得された映像信号及び音声信号が送信されることが防止され、セキュリティをより向上させることができる。
【００２３】
（７）前記許可ステップは、前記第２の通信装置がテレビ電話で接続要求を行っていないと判定した場合、前記第２の通信装置からの接続要求を拒否することなく、前記第２の通信装置の電話番号の登録を許可しないことが好ましい。
【００２４】
この構成によれば、第１の通信装置は、テレビ電話で接続要求を行っていない第２の通信装置と呼の接続は可能であるが、第２の通信装置の電話番号が登録されることを防止することができる。
【００２５】
（８）前記許可ステップは、前記第２の通信装置がテレビ電話で接続要求を行っていないと判定した場合、前記第２の通信装置の接続要求を拒否することが好ましい。
【００２６】
この構成によれば、テレビ電話で接続要求を行っていない第２の通信装置は、接続要求が拒否されるため、テレビ電話機能を有さない第２の通信装置と第１の通信装置との間で通話が確立されず、セキュリティを向上させることができる。
【００２７】
（９）前記許可ステップにより、前記第２の通信装置の電話番号の登録が許可された場合、前記第１の通信装置が、電話番号の登録操作を案内するための画像データを前記第２の通信装置に表示させる案内ステップを更に備えることが好ましい。
【００２８】
この構成によれば、第２の通信装置の電話番号の登録作業を行う際、第２の通信装置に登録操作を案内するための画像データが表示されるため、ユーザはこの登録作業をスムーズに行うことができる。
【発明の効果】
【００２９】
本発明によれば、第１の通信装置に登録ボタンのみ設けることで、ユーザはパソコンを用いなくても容易に第１の通信装置に第２の通信装置の電話番号を登録することができる。また、登録ボタンを押さない限り、電話番号の登録が行うことができないため、セキュリティを高めることができる。
【発明を実施するための最良の形態】
【００３０】
（実施の形態１）
図１は、本発明の実施の形態１による電話番号登録方法を実行する通信システムの全体構成図を示している。この通信システムは、通信装置１（第１の通信装置の一例）、携帯端末２（第２の通信装置の一例）、ルータ３、及びインターホンシステム４を備え、携帯端末２の電話番号を通信装置１に登録することが可能である。
【００３１】
通信装置１は、ルータ３、公衆網ＮＴ１、及び携帯網ＮＴ２を介して携帯端末２に接続されている。通信装置１、ルータ３、及びインターホンシステム４は、例えばユーザの自宅に設置され、例えばＬＡＮケーブル等の通信ケーブルにより接続されている。
【００３２】
携帯端末２は、この自宅のユーザにより所持されている。携帯端末２としては、携帯電話を想定しているが、ＰＤＡやノートブックパソコン等の携帯可能、かつ、テレビ電話機能を有している端末であればどのような端末を採用してもよい。ルータ３は、ＦＴＴＨ（Fiber To The Home）を介して公衆網ＮＴ１に接続されている。
【００３３】
公衆網ＮＴ１には、通信装置１と携帯端末２との通話を確立させるためのＳＩＰ（Session Initiation Protocol）サーバが存在する。したがって、通信装置１は、ＳＩＰの通信プロトコルに従って、携帯端末２と通話を確立することができる。
【００３４】
通信装置１は、自己の電話番号が予め設定されたＩＰ電話機能を有する通信装置であり、インターホンシステム４により取得された映像信号及び音声信号を携帯端末２に転送する。また、通信装置１は、インターホンシステム４の通信プロトコルをＳＩＰに変換すると共に、ＳＩＰをインターホンシステム４の通信プロトコルに変換するゲートウェイとしての機能を有している。
【００３５】
ルータ３は、通信装置１を公衆網ＮＴ１に接続するための装置であり、ＲＴＰ（Real-time Transport Protocol）等の通信プロトコルに従って、通信装置１が送信する映像信号及び音声信号を公衆網ＮＴ１に転送すると共に、公衆網ＮＴ１から送信されるデータを受信して通信装置１に出力する。
【００３６】
インターホンシステム４は、インターホン親機４１、ドアホン子機４２、及び監視カメラ４３を備えている。インターホン親機４１、ドアホン子機４２、及び監視カメラ４３は、既存のインターホンシステムの通信プロトコルに従って通信を行う。
【００３７】
インターホン親機４１は、例えば住宅内のリビングルームやキッチン等に設置され、訪問者によりドアホン子機４２の呼出ボタンが押されると、ドアホン子機４２から送信される訪問者の映像をディスプレイに出力し、音声をスピーカから出力する。
【００３８】
また、インターホン親機４１は、ドアホン子機４２の呼出ボタンが押されると、ドアホン子機４２に内蔵されたカメラにより撮影された訪問者の映像信号を受信してディスプレイに表示する。これにより、宅内のユーザは訪問者が訪れたことを認識することができる。そして、宅内のユーザが例えばインターホン親機４１の受話器を上げると、インターホン親機４１とドアホン子機４２との通話が確立される。
【００３９】
ドアホン子機４２は、例えばユーザの自宅の玄関に設けられ、訪問者により呼出ボタンが押されると、マイクにより訪問者の音声信号を生成してインターホン親機４１に送信する。また、ドアホン子機４２は、訪問者により呼出ボタンが押されると、訪問者を撮影して訪問者の映像信号を通信装置１に送信する。更に、ドアホン子機４２は、インターホン親機４１との通話が確立されると、インターホン親機４１から送信される宅内のユーザの音声信号を受信して、スピーカに出力する。これにより、訪問者と宅内のユーザとは会話することができる。
【００４０】
監視カメラ４３は、例えば、ユーザの自宅の玄関に設置され、不審者の侵入を検知したときの映像をインターホン親機４１に送信し、インターホン親機４１は、この映像をディスプレイに表示する。
【００４１】
図２は、図１に示す通信装置１のブロック図を示している。通信装置１は、登録ボタン１１、制御部１２、電話番号記憶部１３、及び通信部１４を備えている。登録ボタン１１は、例えば通信装置１の筐体に設けられ、携帯端末２の電話番号を通信装置１に登録させる際に使用されるボタンである。
【００４２】
制御部１２は、例えば、ＣＰＵ、ＲＯＭ、ＲＡＭ、及び専用のハードウエア回路等により構成され、転送部１２１、判定部１２２、許可部１２３、及び登録部１２４の機能を備えている。
【００４３】
転送部１２１は、ドアホン子機４２の呼出ボタンの押下や監視カメラ４３の不審者の検知をトリガとして、電話番号記憶部１３から携帯端末２の電話番号を読み出して、携帯端末２との通話を確立し、インターホンシステムにより取得された映像信号及び音声信号をＲＴＰに従って、携帯端末２に転送する。
【００４４】
判定部１２２は、携帯端末２からの接続要求を受信すると、この接続要求を受信してから所定の設定可能時間が経過するまでに、ユーザにより登録ボタン１１が押されたか否かを判定する。ここで、設定可能時間としては、例えば、ユーザが登録ボタン１１を押した後、携帯端末２から通信装置１に電話をかけるための操作に必要な時間及びその時間に所定のマージンを加えた時間を採用することが好ましい。
【００４５】
許可部１２３は、判定部１２２による判定が肯定された場合、携帯端末２の電話番号の登録を許可する。
【００４６】
登録部１２４は、許可部１２３により、電話番号の登録が許可された場合、設定モードに移行して、携帯端末２の電話番号をユーザに登録させる。なお、設定モードの処理としては、後述する実施の形態５に示したものを採用すればよい。
【００４７】
電話番号記憶部１３は、例えばＥＥＰＲＯＭ等の書き換え可能な不揮発性メモリにより構成され、携帯端末２の電話番号を記憶する。通信部１４は、通信インターフェイスであり、制御部１２の制御の下、携帯端末２及びインターホンシステム４から送信されるデータを受信したり、携帯端末２及びインターホンシステム４にデータを送信したりする。
【００４８】
図３は、実施の形態１による電話番号登録方法の処理を示すフローチャートである。ここで、ユーザは携帯端末２を所持して、通信装置１の前にいることを想定している。まず、ステップＳ１において、通信装置１の判定部１２２は、ユーザにより登録ボタン１１が押されると（ステップＳ１でＹＥＳ）、設定可能時間を計時するためのタイマーの計時を開始する（ステップＳ２）。一方、ステップＳ１において、ユーザにより登録ボタン１１が押されない場合（ステップＳ１でＮＯ）、処理がステップＳ１に戻される。
【００４９】
次に、判定部１２２は、設定可能時間が経過するまでに、携帯端末２から接続要求を受信した場合（ステップＳ３でＹＥＳ）、許可部１２３は携帯端末２の電話番号の登録を許可し、登録部１２４は、携帯端末２の電話番号を受け付け、電話番号記憶部１３に記憶する。
【００５０】
すなわち、ユーザは、登録ボタン１１を押した後、設定可能時間が経過するまでに、携帯端末２から通信装置１に電話をかける。そうすると、通信装置１は、設定モードに移行して、携帯端末２の電話番号の入力を受け付けて、この電話番号を登録する。
【００５１】
一方、ステップＳ３において、判定部１２２は、設定可能時間が経過するまでに、携帯端末２からの接続要求を受信しない場合（ステップＳ３でＮＯ）、処理をステップＳ１に戻す。
【００５２】
このように、実施の形態１による電話番号登録方法によれば、ユーザは、登録ボタン１１を押してから設定可能時間が経過するまでに、携帯端末２から通信装置１に電話をかけると、携帯端末２の電話番号の登録が許可される。そのため、通信装置１に登録ボタン１１のみ設けることで、ユーザはパソコンを用いなくても容易に通信装置１に携帯端末２の電話番号を登録することができる。また、登録ボタン１１を押さない限り、電話番号の登録が行うことができないため、セキュリティを高めることができる。
【００５３】
（実施の形態２）
実施の形態２による電話番号登録方法は、携帯端末２から通信装置１に電話がかけられた後、設定可能時間内に登録ボタン１１が押された場合に携帯端末２の電話番号の登録を許可することを特徴とする。なお、本実施の形態において、実施の形態１と同一のものは説明を省略する。
【００５４】
本実施の形態において、図２に示す判定部１２２は、携帯端末２から接続要求を受信してから所定の設定可能時間が経過するまでに、登録ボタン１１が押されたか否かを判定する。その他、制御部１２の機能は実施の形態１と同一であるため、説明を省略する。
【００５５】
図４は、実施の形態２による電話番号登録方法の処理を示すフローチャートである。まず、ユーザは携帯端末２に通信装置１の電話番号を入力し、通信装置１に電話をかける。これにより、携帯端末２から通信装置１に接続要求が送信される（ステップＳ２１）。そして、この接続要求を通信装置１が受信すると（ステップＳ２１でＹＥＳ）、通信装置１の判定部１２２は、設定可能時間の計時を開始する（ステップＳ２２）。
【００５６】
一方、判定部１２２は、接続要求を受信しない場合（ステップＳ２１でＮＯ）、処理をステップＳ２１に戻す。次に、判定部１２２は、設定可能時間が経過するまでに、ユーザにより登録ボタン１１が押された場合（ステップＳ２３でＹＥＳ）、実施の形態１と同様、登録部１２４は設定モードに移行する（ステップＳ２４）。
【００５７】
一方、判定部１２２は、ユーザにより登録ボタン１１が押されることなく設定可能時間が経過した場合、又は設定可能時間が経過するまでに、携帯端末２から切断要求を受信した場合（ステップＳ２３でＮＯ）、処理をステップＳ２１に戻す。
【００５８】
このように、実施の形態２による電話番号登録方法によれば、ユーザは、携帯端末２から通信装置１に電話をかけた後、設定可能時間が経過するまでに、登録ボタン１１を押すと、携帯端末２の電話番号の登録が許可される。
【００５９】
したがって、登録ボタン１１を押した後、たまたま、携帯端末２以外の電話機から電話がかかってきた場合にこの電話機の電話番号が誤登録されることを防止することができる。更に、通信装置１に登録ボタン１１のみ設けることで、ユーザはパソコンを用いなくても容易に通信装置１に携帯端末２の電話番号を登録することができる。また、登録ボタン１１を押さない限り、電話番号の登録が行うことができないため、セキュリティを高めることができる。
【００６０】
（実施の形態３）
実施の形態３の電話番号登録方法は、通信装置１にオフフックボタンを設けたことを特徴とする。図２に示すように、実施の形態３による電話番号登録方法を実行する通信システムを構成する通信装置１は、オフフックボタン１５を備えている。
【００６１】
オフフックボタン１５は、通常の電話機が備えるオフフックボタンと同じ機能を有し、例えば通信装置１の筐体の適所（例えば登録ボタンに並設される位置）に設けられている。つまり、ユーザはオフフックボタン１５を押すことで、携帯端末２からかかってきた電話をとることができる。なお、オフフックボタン１５と登録ボタン１１とを兼用させてもよい。
【００６２】
本実施の形態において、判定部１２２は、携帯端末２から送信された接続要求を受信してからユーザによりオフフックボタン１５が押されたか否かを判定する。そして、判定部１２２は、オフフックボタン１５が押されてから設定可能時間が経過するまでに、ユーザにより登録ボタン１１が押されたか否かを判定する。その他、制御部１２の機能は実施の形態１、２と同一であるため、説明を省略する。ここで、設定可能時間としては、オフフックボタン１５を押してから登録ボタン１１を押すまでに要する時間及びその時間に一定のマージンを加えた時間を採用することができる。
【００６３】
図５は、実施の形態３による電話番号登録方法の処理を示すフローチャートである。ステップＳ３１は、図４に示すステップＳ２１と同一であるため、説明を省略する。次に、判定部１２２は、ユーザによりオフフックボタン１５が押されたと判定した場合（ステップＳ３２でＹＥＳ）、設定可能時間の計時を開始する（ステップＳ３３）。
【００６４】
一方、オフフックボタン１５が押されない場合、又は携帯端末２から切断要求を受信した場合（ステップＳ３２でＮＯ）、処理をステップＳ３１に戻す。
【００６５】
次に、判定部１２２は、設定可能時間が経過するまでに、ユーザにより登録ボタン１１が押されたと判定した場合（ステップＳ３４でＹＥＳ）、実施の形態２と同様、登録部１２４は設定モードに移行する（ステップＳ３５）。
【００６６】
一方、ステップＳ３４にいて、判定部１２２は、ユーザにより登録ボタン１１が押されることなく設定可能時間が経過した場合、又は設定可能時間が経過するまでに、携帯端末２から切断要求を受信した場合（ステップＳ３４でＮＯ）、処理をステップＳ３１に戻す。
【００６７】
このように、本実施の形態による電話番号登録方法によれば、ユーザは、携帯端末２から通信装置１に電話をかけた後、通信装置１に設けられたオフフックボタン１５を押し、更に、オフフックボタン１５を押してから設定可能時間が経過するまでに、登録ボタン１１を押すと、携帯端末２の電話番号の登録が許可される。よって、ユーザは、オフフックボタン１５を押すか否かにより、電話の着信を許可するか否かを選択することが可能となり、携帯端末２以外の電話機からの着信を拒否することが可能となり、セキュリティをより向上させることができる。
【００６８】
（実施の形態４）
実施の形態４による電話番号登録方法は、設定モードの処理の詳細を規定したことを特徴とする。なお、本実施の形態において、実施の形態１〜３と同一のものは、説明を省略する。
【００６９】
本実施の形態において、図２に示す登録部１２４は、許可部１２３により、電話番号の登録が許可された場合、設定モードに移行する。そして、登録部１２４は、携帯端末２のテンキーがユーザにより押されることで、携帯端末２から送信されるプッシュボタン音をＤＴＭＦ（Dual-Tone Multi-Frequency）検出し、検出したプッシュボタン音にしたがって携帯端末２の電話番号を特定し、特定した電話番号を電話番号記憶部１３に記憶させ、携帯端末２の電話番号を登録する。
【００７０】
図６は、実施の形態４による電話番号登録方法の処理を示すフローチャートである。ステップＳ４１〜ステップＳ４４の処理は、図３に示すステップＳ１〜ステップＳ４の処理と同一であるため、説明を省略する。
【００７１】
ステップＳ４５において、ユーザにより携帯端末２のテンキーが押されると、登録部１２４は、携帯端末２から送信されるテンキーの種類を示すプッシュボタン音を受信し、このプッシュボタン音をＤＴＭＦ検出し、ユーザにより押された携帯端末２のテンキーの種類を特定する。ここで、プッシュボタン音としては、「０」〜「９」のテンキーのそれぞれに対して予め定められた周波数の音声信号と、エンドコードのテンキーに対して予め定められた周波数の音声信号とを採用することができる。エンドコードとしては、例えば「＃」又は「＊」のテンキーを採用することができる。
【００７２】
登録部１２４は、エンドコード以外の「０」〜「９」のテンキーのプッシュボタン音を検出すると（ステップＳ４５でＹＥＳ）、検出したプッシュボタン音に対応する数値を図略のＲＡＭに一時的に記憶させ（ステップＳ４６）、処理をステップＳ４５に戻す。一方、登録部１２４は、「０」〜「９」のテンキーのプッシュボタン音を検出せず（ステップＳ４５でＮＯ）、エンドコードのプッシュボタン音を検出すると（ステップＳ４７でＹＥＳ）、携帯端末２の電話番号のユーザによる登録作業が終了したと判定し、ＲＡＭに記憶されている携帯端末２の電話番号を電話番号記憶部１３に記憶させ、電話番号を登録する（ステップＳ４８）。一方、登録部１２４は、エンドコードのプッシュボタン音を検出しない場合（ステップＳ４７でＮＯ）、処理をステップＳ４５に戻す。
【００７３】
ここで、登録部１２４は、電話番号の登録操作をユーザに案内するための画像データを予め記憶しておき、この画像データを適宜、携帯端末２に送信するようにしてもよい。そして、携帯端末２は、この画像データを受信して表示部に表示するようにしてもよい。これにより、ユーザは、携帯端末２に表示される登録操作を案内するための画像を観ながら、登録操作を行うことができ、より容易に電話番号を登録することが可能となる。この態様は、他の実施の形態に適用してもよい。
【００７４】
このように、実施の形態４による電話番号登録方法によれば、ユーザは、携帯端末２のテンキーを押すことで、携帯端末２の電話番号を通信装置１に登録することができ、通信装置１にテンキーを設ける必要をなくすことができる。
【００７５】
なお、図６のフローチャートでは、図３に示すフローチャートに図６のステップＳ４５〜ステップＳ４７に示す処理を追加したが、これに限定されず、図４に示すフローチャートに図６のステップＳ４５〜ステップＳ４７の処理を追加してもよいし、図５に示すフローチャートに図６のステップＳ４５〜ステップＳ４７の処理を追加してもよい。
【００７６】
また、本実施の形態では、登録部１２４は、携帯端末２から送信されるプッシュボタン音をＤＴＭＦ検出することで、携帯端末２の電話番号を登録したが、これに限定されず、携帯端末２から送信される自身の電話番号を通知するためのナンバー通知により示される携帯端末２の電話番号を電話番号記憶部１３に記憶することで、携帯端末２の電話番号を登録してもよい。
【００７７】
これにより、ユーザは携帯端末２の電話番号を入力する手間が省かれることになり、電話番号の登録作業がより容易なものとなる。
【００７８】
（実施の形態５）
実施の形態５による電話番号登録方法は、携帯端末２がテレビ電話で接続要求を行っていない場合、携帯端末２の電話番号の登録を許可しないことを特徴とする。なお、本実施の形態において、実施の形態１〜４と同一のものは説明を省略する。
【００７９】
本実施の形態において、図２に示す許可部１２３は、判定部１２２による判定が肯定された場合、携帯端末２がテレビ電話で接続要求を行っているか否かを判定し、テレビ電話で接続要求を行っていると判定した場合、携帯端末２の電話番号の登録を許可する。ここで、許可部１２３は、携帯端末２がテレビ電話で接続要求を行っていないと判定した場合、携帯端末２からの接続要求を拒否することなく、携帯端末２の電話番号の登録を許可しない。
【００８０】
通信装置１は、ＳＩＰのパケットを受信するものであり、ＳＩＰのパケットには、音声電話かテレビ電話かを見分けるための情報が含まれている。したがって、許可部１２３は、この情報を用いて携帯端末２が音声電話で接続要求を行っているか、テレビ電話で接続要求を行っているかを判定すればよい。
【００８１】
図７は、実施の形態５による電話番号登録方法の処理を示すフローチャートである。ステップＳ５１〜ステップＳ５３の処理は、図３に示すステップＳ１〜ステップＳ３と同一であるため、説明を省略する。
【００８２】
ステップＳ５４において、許可部１２３は、携帯端末２がテレビ電話で接続要求を行っているか、テレビ電話で接続要求を行っているかを判定し、テレビ電話で接続要求を行っていると判定した場合（ステップＳ５４でＹＥＳ）、登録部１２４は、設定モードに移行する（ステップＳ５５）。
【００８３】
一方、許可部１２３は、携帯端末２が音声電話であると判定した場合（ステップＳ５４でＮＯ）、登録部１２４は、設定不可モードに移行し（ステップＳ５６）、処理をステップＳ５１に戻す。
【００８４】
ここで、設定不可モードは、携帯端末２との呼の接続は行うが、携帯端末２の電話番号の登録は許可しないモードである。なお、設定モードの処理としては、実施の形態５に示したものを採用すればよい。したがって、通信装置１と携帯端末２との通話は確立されるが、通信装置１には携帯端末２の電話番号を登録することはできない。
【００８５】
このように、実施の形態５による電話番号登録方法によれば、テレビ電話で接続要求を行っていない携帯端末２の電話番号の登録が防止され、テレビ電話機能を有さない携帯端末２の電話番号の登録を防止することができる。すなわち、携帯端末２は、インターホンシステム４により取得された映像信号及び音声信号を出力するための装置であるため、テレビ電話機能を備えていることが前提となる。したがって、本構成により、テレビ電話機能を備えていない携帯端末２の電話番等が登録されることを防止することが可能となり、このような携帯端末２にインターホンシステム４により取得された映像信号及び音声信号が送信されることが防止され、セキュリティをより向上させることができる。
【００８６】
なお、図７のフローチャートでは、図３に示すフローチャートに図７に示すステップＳ５４、ステップＳ５６に示す処理を追加したが、これに限定されず、図４に示すフローチャートに図７に示すステップＳ５４、ステップＳ５６に示す処理を追加してもよいし、図５に示すフローチャートに図７に示すステップＳ５４、ステップＳ５６の処理を追加してもよい。
【００８７】
（実施の形態６）
実施の形態６による電話番号登録方法は、携帯端末２がテレビ電話で接続要求を行っていない場合、携帯端末２からの接続要求を拒否することを特徴とする。
【００８８】
本実施の形態において、図２に示す許可部１２３は、携帯端末２がテレビ電話で接続要求を行っていないと判定した場合、携帯端末２の接続要求を拒否する。
【００８９】
図８は、実施の形態６による電話番号登録方法の処理を示すフローチャートである。ステップＳ６１〜ステップＳ６４の処理は、図８に示すステップＳ５１〜Ｓ５４の処理と同一であるため、説明を省略する。
【００９０】
ステップＳ６４において、許可部１２３は、携帯端末２がテレビ電話で接続要求を行っていないと判定すると（ステップＳ６４でＮＯ）、許可部１２３は接続要求を拒否し（ステップＳ６６）、処理をステップＳ６１に戻す。ここで、許可部１２３は、携帯端末２に対して例えば、着信拒否を示すパケットを送信してもよい。
【００９１】
このように、本実施の形態による電話番号登録方法によれば、テレビ電話で接続要求を行っていない携帯端末２は、接続要求が拒否されるため、携帯端末２及び通信装置１間で通話が確立されず、セキュリティを向上させることができる。
【００９２】
なお、図８のフローチャートでは、図３に示すフローチャートに図７に示すステップＳ６４、ステップＳ６６に示す処理を追加したが、これに限定されず、図４に示すフローチャートに図８に示すステップＳ６４、ステップＳ６６に示す処理を追加してもよいし、図５に示すフローチャートに図８に示すステップＳ６４、ステップＳ６６の処理を追加してもよい。
【図面の簡単な説明】
【００９３】
【図１】本発明の実施の形態による電話番号登録方法を実行する通信システムの全体構成図を示している。
【図２】図１に示す通信装置のブロック図を示している。
【図３】実施の形態１による電話番号登録方法の処理を示すフローチャートである。
【図４】実施の形態２による電話番号登録方法の処理を示すフローチャートである。
【図５】実施の形態３による電話番号登録方法の処理を示すフローチャートである。
【図６】実施の形態４による電話番号登録方法の処理を示すフローチャートである。
【図７】実施の形態５による電話番号登録方法の処理を示すフローチャートである。
【図８】実施の形態６による電話番号登録方法の処理を示すフローチャートである。
【符号の説明】
【００９４】
１  通信装置
２  携帯端末
３  ルータ
４  インターホンシステム
１１  登録ボタン
１２  制御部
１３  電話番号記憶部
１４  通信部
１５  オフフックボタン
４１  インターホン親機
４２  ドアホン子機
４３  監視カメラ
１２１  転送部
１２２  判定部
１２３  許可部
１２４  登録部
ＮＴ１  公衆網
ＮＴ２  携帯網
【図１】
2010154231.tif 000003
【図２】
2010154231.tif 000004
【図３】
2010154231.tif 000005
【図４】
2010154231.tif 000006
【図５】
2010154231.tif 000007
【図６】
2010154231.tif 000008
【図７】
2010154231.tif 000009
【図８】
2010154231.tif 000010